(57)【特許請求の範囲】
【請求項１】
筐体内に収容される発光部からの光を透光させる透光部が前記筐体に形成される開口から露出する情報端末であって、
前記透光部は、前記開口から露出するときに前記筐体の内面のうち当該開口を囲む周縁面に対して面接触する周縁部と一体に形成されており、
前記周縁面には、前記開口を挟んで筐体側係合部と突出片とが形成され、
前記周縁部には、前記筐体側係合部に係合可能な周縁部側係合部と、この周縁部側係合部を前記筐体側係合部に係合させるように前記透光部を前記開口から露出させるときに前記突出片の開口側に押圧するように面接触する接触部と、が形成され、
前記筐体側係合部の前記周縁部側係合部に対する押圧方向と前記突出片の前記接触部に対する押圧方向とが交わることを特徴とする情報端末。
【請求項２】
前記周縁面とこの周縁面に面接触する前記周縁部の接触面とは、外側に膨らむように曲面状に形成されることを特徴とする請求項１に記載の情報端末。
【請求項３】
前記筐体の外面のうち前記開口を囲む面と、当該開口から露出する前記透光部の露出面とは、外側に膨らむように曲面状に形成されることを特徴とする請求項１または２に記載の情報端末。
【請求項４】
前記周縁部側係合部は、貫通穴として形成され、
前記筐体側係合部は、前記貫通穴の内径よりも僅かに大きな外径の断面十字状の突起として形成されることを特徴とする請求項１〜３のいずれか一項に記載の情報端末。
【請求項５】
前記周縁面には、前記筐体側係合部が複数形成され、
前記周縁部には、複数の前記筐体側係合部にそれぞれ対応する前記周縁部側係合部が同数形成されることを特徴とする請求項１〜４のいずれか一項に記載の情報端末。
【請求項６】
前記透光部の表面の少なくとも一部には、透光性を向上させるための表面加工が施されることを特徴とする請求項１〜５のいずれか一項に記載の情報端末。
【請求項７】
前記表面加工は、前記透光部の内側面に施されることを特徴とする請求項６に記載の情報端末。
【発明の詳細な説明】
【技術分野】
【０００１】
本発明は、透光部が筐体の開口から露出する情報端末に関するものである。
【背景技術】
【０００２】
従来、筐体内に複数の部品が収容される情報端末では、一般的に、部品間の組み立てや筐体への組み付けなどにねじや接着剤等を使用して組み立て作業を実施している。しかしながら、部品間の組み立てや筐体への組み付けなどにねじや接着剤等を使用すると、組立工程の簡易化や部品削減による低コスト化が困難になるという問題がある。
【０００３】
そこで、下記特許文献１に開示されるパッキン付きキャップ器では、パッキン体の組付き筒の底板に設けられる各係止片にパッキン板の周端を複数箇所係止した状態で、このパッキン体をキャップ体内に挿入する。このとき、組付き筒の外周面がキャップの内周面にきつく嵌入されることで、各係止片が内方に変位し、パッキン板が各係止片により挟持されて保持される。これにより、両面接着テープや接着剤等を使用することなく、パッキン板のキャップ体に対する組付け固定を達成している。
【０００４】
しかしながら、上記特許文献１に開示される構成は、キャップ内にパッキンを保持するための構成であり、筐体の開口から露出させる透光部を当該筐体に組み付ける構成には、そのまま適用することができないという問題がある。
【０００５】
そこで、筐体の開口から露出させる透光部を当該筐体に組み付ける構成に関する技術として、下記特許文献２に開示される携帯電話装置が知られている。この携帯電話装置では、ディスプレイの上方にカメラとライトとが近接して設けられている。ライトは、被写体を照光する発光ダイオードやこの発光ダイオードからの光を集光する配光レンズを備えており、筐体１１の開口部を介して収容されている。この開口部には配光レンズや発光ダイオード等の内部部品を保護する透明カバーが配置されており、当該透明カバーは、筐体の開口部に嵌合あるいは接着剤により固定されている。
【先行技術文献】
【特許文献】
【０００６】
【特許文献１】実開昭５５−１１５５６８号公報
【特許文献２】再公表特許ＷＯ２００３−７９６７１号公報
【発明の概要】
【発明が解決しようとする課題】
【０００７】
しかしながら、上記特許文献２では、透明カバーを筐体の開口部に嵌合するための具体的な構成が開示されていないために、筐体の開口から露出させる透光部を当該筐体に組み付ける構成に対して適用しても、透光部を筐体に強固に組み付けることが困難である。このため、透光部または筐体に落下衝撃などが作用すると、透光部が筐体に対してずれるか脱落する場合があり、この場合には、防水機能や防塵機能が低下してしまうという問題がある。
【０００８】
本発明は、上述した課題を解決するためになされたものであり、その目的とするところは、筐体の開口から露出させる透光部を、ねじ等の別部材を使用することなく当該筐体に強固に組み付け得る情報端末を提供することにある。
【課題を解決するための手段】
【０００９】
上記目的を達成するため、特許請求の範囲に記載の請求項１の情報端末では、筐体（１１）内に収容される発光部（４３）からの光を透光させる透光部（６１）が前記筐体に形成される開口（１４）から露出する情報端末（１０）であって、前記透光部は、前記開口から露出するときに前記筐体の内面のうち当該開口を囲む周縁面（１５）に対して面接触する周縁部（６２）と一体に形成されており、前記周縁面には、前記開口を挟んで筐体側係合部（１６）と突出片（１７）とが形成され、前記周縁部には、前記筐体側係合部に係合可能な周縁部側係合部（６３）と、この周縁部側係合部を前記筐体側係合部に係合させるように前記透光部を前記開口から露出させるときに前記突出片の開口側に押圧するように面接触する接触部（６４）と、が形成され、前記筐体側係合部の前記周縁部側係合部に対する押圧方向と前記突出片の前記接触部に対する押圧方向とが交わることを特徴とする。
【００１０】
請求項２の発明は、請求項１に記載の情報端末において、前記周縁面とこの周縁面に面接触する前記周縁部の接触面とは、外側に膨らむように曲面状に形成されることを特徴とする。
【００１１】
請求項３の発明は、請求項１または２に記載の情報端末において、前記筐体の外面のうち前記開口を囲む面と、当該開口から露出する前記透光部の露出面（６１ｂ）とは、外側に膨らむように曲面状に形成されることを特徴とする。
【００１２】
請求項４の発明は、請求項１〜３のいずれか一項に記載の情報端末において、前記周縁部側係合部は、貫通穴（６３）として形成され、前記筐体側係合部は、前記貫通穴の内径よりも僅かに大きな外径の断面十字状の突起（１６）として形成されることを特徴とする。
【００１３】
請求項５の発明は、請求項１〜４のいずれか一項に記載の情報端末において、前記周縁面には、前記筐体側係合部が複数形成され、前記周縁部には、複数の前記筐体側係合部にそれぞれ対応する前記周縁部側係合部が同数形成されることを特徴とする。
【００１４】
請求項６の発明は、請求項１〜５のいずれか一項に記載の情報端末において、前記透光部の表面の少なくとも一部には、透光性を向上させるための表面加工が施されることを特徴とする。
【００１５】
請求項７の発明は、請求項６に記載の情報端末において、前記表面加工は、前記透光部の内側面（６１ａ）に施されることを特徴とする。
なお、上記各括弧内の符号は、後述する実施形態に記載の具体的手段との対応関係を示すものである。
【発明の効果】
【００１６】
請求項１の発明では、透光部は、開口から露出するときに筐体の内面のうち当該開口を囲む周縁面に対して面接触する周縁部と一体に形成されている。そして、周縁面には、開口を挟んで筐体側係合部と突出片とが形成され、周縁部には、筐体側係合部に係合可能な周縁部側係合部と、この周縁部側係合部を筐体側係合部に係合させるように透光部を開口から露出させるときに突出片の開口側に押圧するように面接触する接触部と、が形成され、筐体側係合部の周縁部側係合部に対する押圧方向と突出片の接触部に対する押圧方向とが交わっている。
【００１７】
このため、透光部を開口から露出させる場合には、周縁部側係合部が筐体側係合部に係合するとともに接触部が突出片の開口側に押圧するように面接触した状態で、周縁部が周縁面に面接触する。これにより、周縁部と周縁面とが離れにくくなり、周縁部による防水機能や防塵機能等が高められるように、透光部が筐体に組み付けられることとなる。
したがって、筐体の開口から露出させる透光部を、ねじ等の別部材を使用することなく当該筐体に強固に組み付けることができる。
【００１８】
請求項２の発明では、周縁面とこの周縁面に面接触する周縁部の接触面とは、外側に膨らむように曲面状に形成されるため、係合時の筐体側係合部を介して周縁部側係合部に作用する押圧力と、面接触時の突出片を介して接触部に作用する押圧力とが、周縁部を周縁面に押し付ける力としても作用することとなる。このため、周縁部が周縁面に強固に押し付けられることとなり、周縁部による防水機能や防塵機能等をさらに高めることができる。
【００１９】
請求項３の発明では、筐体の外面のうち開口を囲む面と、当該開口から露出する透光部の露出面とは、外側に膨らむように曲面状に形成されている。このため、当該端末の操作時に透光部の露出面と周囲の筐体の外面とに指などが触れて透光部を筐体内方に押し込む押圧力が作用するときでも、この押圧力が曲面形状に応じて分散される。これにより、上記押圧力に起因する周縁部と周縁面とを引き離す力が抑制されるので、周縁部による防水機能や防塵機能等の低下を抑制することができる。
【００２０】
請求項４の発明では、周縁部側係合部は、貫通穴として形成され、筐体側係合部は、上記貫通穴の内径よりも僅かに大きな外径の断面十字状の突起として形成されるため、周縁部側係合部と筐体側係合部との係合を簡易な形状で強固にすることができる。
【００２１】
請求項５の発明では、周縁面には、筐体側係合部が複数形成され、周縁部には、複数の筐体側係合部にそれぞれ対応する周縁部側係合部が同数形成されるため、例えば透光部の露出面を介してどの方向から押圧力が作用するときでも、周縁部と周縁面とが離れにくくなる。これにより、周縁部と周縁面との面接触がより強固となり、周縁部による防水機能や防塵機能等をさらに高めることができる。
【００２２】
請求項６の発明では、透光部の表面の少なくとも一部には、透光性を向上させるための表面加工が施されるため、当該透光部を透光する光の視認性を向上させることができる。
【００２３】
請求項７の発明では、上記表面加工は、透光部の内側面に施されるため、露出面に施される場合と比較して当該表面加工による効果が低下しにくくなるので、当該表面加工により向上させた視認性を長期間持続することができる。
【図面の簡単な説明】
【００２４】
【図１】本実施形態に係る光学的情報読取装置の構成概要を示す断面図である。
【図２】図１の光学的情報読取装置の電気的構成を概略的に示すブロック図である。
【図３】図３（Ａ）は、上側ケースの開口周辺を拡大して示す説明図であり、図３（Ｂ）は、図３（Ａ）に示す３Ｂ−３Ｂ線相当の切断面による断面図である。
【図４】カバーの詳細構造を示す説明図であり、図４（Ａ）は正面図であり、図４（Ｂ）は側面図であり、図４（Ｃ）は下面図である。
【図５】図５（Ａ）は、カバーを上側ケースに組み付けた状態を拡大して示す説明図であり、図５（Ｂ）は、図５（Ａ）に示す５Ｂ−５Ｂ線相当の切断面による断面図である。
【図６】カバーに作用する押圧力を説明するための拡大断面図である。
【図７】本実施形態の変形例に係る光学的情報読取装置の要部であるカバーを示す説明図である。
【図８】本実施形態の変形例に係る光学的情報読取装置の要部であるカバーを示す説明図である。
【発明を実施するための形態】
【００２５】
以下、本発明の情報端末を光学的情報読取装置に適用した一実施形態について、図面を参照して説明する。図１は、本実施形態に係る光学的情報読取装置１０の構成概要を示す断面図である。図２は、図１の光学的情報読取装置１０の電気的構成を概略的に示すブロック図である。
図１に示す光学的情報読取装置１０は、物品に付された情報コード、例えば、バーコードなどの一次元コードやＱＲコード（登録商標）などの二次元コードを光学的に読み取る携帯型の情報端末として構成されている。
【００２６】
光学的情報読取装置１０は、ＡＢＳ樹脂等の合成樹脂材料により形成される上側ケース１１ａおよび下側ケース１１ｂが組み付けられて構成されるガンタイプの筐体１１によって外郭が形成され、下端部には、当該筐体１１から外部に延びて上位システムと電気的な接続を可能にするケーブル７１が設けられている。筐体１１には、両ケース１１ａ，１１ｂを組み付けることで、情報コードからの反射光の入射を可能とする読取口１２が形成される。
【００２７】
また、筐体１１の読取口１２の周囲と、筐体１１のケーブル７１を保持するケーブル取付部１３の周囲とには、落下時の衝撃を緩和するための読取口チップ７２とボトムピース７３とが組み付けられている。これら読取口チップ７２およびボトムピース７３は、保護機能を実現するだけでなく、両ケース１１ａ，１１ｂの組み付けを強固にするため、環状の弾性部材から構成されている。
【００２８】
次に、光学的情報読取装置１０の電気的構成について図２を用いて説明する。
図２に示すように、筐体１１の内部には、回路部２０が収容されており、この回路部２０は、主に、照明光源２１、受光センサ２８、結像レンズ２７等の光学系と、メモリ３５、制御回路４０、トリガースイッチ４２等のマイクロコンピュータ（以下「マイコン」という）系と、から構成されている。
【００２９】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、情報コードＣが付された物品Ｒに向けて照明光Ｌｆを照射する例を概念的に示している。
【００３０】
受光光学系は、受光センサ２８、結像レンズ２７、反射鏡（図示略）などによって構成されている。受光センサ２８は、情報コードＣ等に照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。
【００３１】
結像レンズ２７は、外部から読取口１２を介して入射する入射光を集光して受光センサ２８の受光面２８ａに像を結像可能な結像光学系として機能するものである。本実施形態では、照明光源２１から照射された照明光Ｌｆが情報コードＣにて反射した後、この反射光Ｌｒを結像レンズ２７で集光し、受光センサ２８の受光面２８ａにコード像を結像させている。
【００３２】
マイコン系は、増幅回路３１、Ａ／Ｄ変換回路３３、メモリ３５、アドレス発生回路３６、同期信号発生回路３８、制御回路４０、トリガースイッチ４２、発光部４３、ブザー４４、バイブレータ４５、通信インタフェース４８等から構成されている。
【００３３】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３４】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述したコード画像情報格納領域のほかに、制御回路４０が算術演算や論理演算等の各処理時に利用する作業領域や読取条件テーブルも確保可能に構成されている。またＲＯＭには、読取処理や解析処理等を実行可能な所定プログラムやその他、照明光源２１、受光センサ２３等の各ハードウェアを制御可能なシステムプログラム等が予め格納されている。
【００３５】
制御回路４０は、光学的情報読取装置１０全体を制御可能なマイコンによって構成されており、ＣＰＵ、システムバス、入出力インタフェース等を有すると共に、情報処理機能を備えており、メモリ３５とともに情報処理装置を構成している。本実施形態では、制御回路４０に対し、トリガースイッチ４２、発光部４３、ブザー４４、バイブレータ４５、通信インタフェース４８等が接続されている。
【００３６】
これにより、制御回路４０は、例えば、トリガースイッチ４２の監視や管理、情報コードＣの読み取りに関する情報を報知するインジケータとして機能する発光部４３の点灯・消灯、ビープ音やアラーム音を発生可能なブザー４４の鳴動のオンオフ、当該光学的情報読取装置１０の使用者に伝達し得る振動を発生可能なバイブレータ４５の駆動制御やケーブル７１を介した外部装置とのシリアル通信を可能にする通信インタフェース４８の通信制御等を可能にしている。
【００３７】
次に、本実施形態に係る光学的情報読取装置１０の特徴的構成について図面を用いて説明する。図３（Ａ）は、上側ケース１１ａの開口１４周辺を拡大して示す説明図であり、図３（Ｂ）は、図３（Ａ）に示す３Ｂ−３Ｂ線相当の切断面による断面図である。図４は、カバー６０の詳細構造を示す説明図であり、図４（Ａ）は正面図であり、図４（Ｂ）は側面図であり、図４（Ｃ）は下面図である。
【００３８】
図１に示すように、筐体１１内に収容される基板５０には上述した発光部４３が実装されており、この発光部４３からの光が照射される上側ケース１１ａの位置には、透光部６１を有するカバー６０が配置されている。このように構成される筐体１１とカバー６０とについて、以下に説明する。
【００３９】
まず、筐体１１の形状について説明する。
図３（Ａ），（Ｂ）に示すように、発光部４３からの光が照射される上側ケース１１ａの位置には、略逆三角形状の開口１４が形成されている。筐体１１の内面のうち開口１４を囲む面（以下、周縁面１５という）は、外側に膨らむように曲面状に形成されており、この周縁面１５には、当該開口１４を挟んで上下方向に２つの突起１６と突出片１７とが設けられている。
【００４０】
両突起１６は、開口１４の下端近傍の周縁面１５から内方へ突出するように設けられており、後述する貫通穴６３との係合を強固とするため、断面が十字状に形成されている。突出片１７は、開口１４の上端から読取口側に所定距離だけ離れた位置の周縁面１５から、内方へ略平板状に突出するように形成されている。
【００４１】
次に、カバー６０の形状について説明する。
図４（Ａ）〜（Ｃ）に示すカバー６０は、半透明の樹脂材料からなり、略逆三角形状の透光部６１とこの透光部６１の周囲に設けられる周縁部６２とが一体に形成されている。透光部６１は、発光部４３からの光を透光させることで、当該発光部４３の光を外部から視認させる機能を有するもので、開口１４から外方に露出するように配置される。この透光部６１の内側面６１ａには、透光性を向上させるための表面加工が施されている。また、開口１４から露出する透光部６１の露出面６１ｂは、筐体１１の外面のうち開口１４を囲む面とともに、外側に膨らむように曲面状に形成されている。
【００４２】
周縁部６２は、透光部６１が開口１４から露出するときに筐体１１の周縁面１５に対して面接触するように、その接触面が周縁面１５に応じて外側に膨らむように曲面状に形成されている。この周縁部６２には、両突起１６にそれぞれ係合する２つの貫通穴６３と、突出片１７に一部が面接触するＬ字片６４とが、透光部６１を挟んで設けられている。両貫通穴６３は、透光部６１の下端近傍であって、両突起１６にそれぞれ強固に係合するために、その内径が突起１６の外径よりも僅かに小さくなるように形成されている。
【００４３】
Ｌ字片６４は、周縁部６２の上端から平板状に突出する基部６４ａと、この基部６４ａの突出端部から略Ｌ字状に延出する延出部６４ｂとを有するように形成されている。延出部６４ｂは、両貫通穴６３が対応する突起１６に係合するように周縁部６２を周縁面１５に面接触させるとき、すなわち、透光部６１を開口１４から露出させるとき、その基部側６５が突出片１７の開口側に押圧して面接触し、その延出側６６が突出片１７の頂部から突出するように形成されている。特に、延出部６４ｂの延出側６６は、面接触時の突出片１７を介した応力を分散させるため、基部側６５よりも厚さが厚くなるように形成されている。
【００４４】
このように構成されるカバー６０の筐体１１への組み付けについて以下に説明する。図５（Ａ）は、カバー６０を上側ケース１１ａに組み付けた状態を拡大して示す説明図であり、図５（Ｂ）は、図５（Ａ）に示す５Ｂ−５Ｂ線相当の切断面による断面図である。図６は、カバー６０に作用する押圧力Ｆ１，Ｆ２を説明するための拡大断面図である。
【００４５】
まず、図３に示すように形成された上側ケース１１ａと、図４に示すように形成されたカバー６０とを用意する。次に、カバー６０を、その透光部６１が開口１４に対向するように、上側ケース１１ａに対して内側から近接させる。続いて、透光部６１を開口１４から露出させるように、両貫通穴６３に両突起１６を挿通させる。このとき、カバー６０のＬ字片６４は、基部６４ａの上面にて周縁面１５に形成される突出片１７の頂部に接触している。
【００４６】
そして、さらにカバー６０を上側ケース１１ａに押し付けることで、図５（Ａ），（Ｂ）に示すように、両貫通穴６３が対応する突起１６に係合し、基部６４ａがＬ字片６４を乗り越えて延出部６４ｂの基部側６５が突出片１７の開口側に押圧されるように面接触する。この面接触時では、延出部６４ｂの基部側６５のみが突出片１７に面接触し、延出側６６が突出片１７の頂部から突出するので、延出側６６の突出度合いを確認することで、延出部６４ｂが基部側６５にて突出片１７の開口側に適切に面接触しているか否かを容易に視認することができる。
【００４７】
これにより、カバー６０には、係合時の両突起１６を介して両貫通穴６３に作用する押圧力と、面接触時の突出片１７を介して延出部６４ｂの基部側６５に作用する押圧力とが、周縁部６２を周縁面１５に押し付ける力として作用する。
このようにして、ねじや接着剤等を使用することなく、カバー６０の筐体１１への組み付けが完了する。
【００４８】
ここで、係合時の両突起１６を介して両貫通穴６３に作用する押圧力（以下、押圧力Ｆ１という）と、面接触時の突出片１７を介して延出部６４ｂの基部側６５に作用する押圧力（以下、押圧力Ｆ２という）について、図６を用いて説明する。
図６に示すように、押圧力Ｆ１は、突起１６に対して略直交する方向に作用し、押圧力Ｆ２は、突出片１７の接触面に対して略直交方向に作用する。このため、両押圧力Ｆ１，Ｆ２が周縁部６２を周縁面１５に押し付ける力として作用するため、周縁部６２が周縁面１５に強固に押し付けられることとなり、周縁部６２による防水機能や防塵機能等を高めることができる。
【００４９】
このようにカバー６０が上側ケース１１ａに組み付けられた光学的情報読取装置１０において、読取作業にて撮像した情報コードＣのデコードが成功すると、その旨を報知するために、筐体１１内の発光部４３が発光する。この発光部４３からの光は、筐体１１の開口１４から外方に露出するように配置されるカバー６０の透光部６１を透光する。これにより、作業者は、デコードが成功したことを透光部６１を透光する光に応じて認識することができる。
【００５０】
以上説明したように、本実施形態に係る光学的情報読取装置１０では、透光部６１は、開口１４から露出するときに筐体１１の内面のうち当該開口１４を囲む周縁面１５に対して面接触する周縁部６２と一体に形成されている。そして、周縁面１５には、開口１４を挟んで突起１６と突出片１７とが形成され、周縁部６２には、突起１６に係合可能な貫通穴６３と、この貫通穴６３を突起１６に係合させるように透光部６１を開口１４から露出させるときに突出片１７の開口側に押圧するように面接触するＬ字片６４の延出部６４ｂと、が形成されている。
【００５１】
このため、透光部６１を開口１４から露出させる場合には、貫通穴６３が突起１６に係合するとともにＬ字片６４の延出部６４ｂが突出片１７の開口側に押圧するように面接触した状態で、周縁部６２が周縁面１５に面接触する。これにより、周縁部６２と周縁面１５とが離れにくくなり、周縁部６２による防水機能や防塵機能等が高められるように、透光部６１が筐体１１に組み付けられることとなる。
したがって、筐体１１の開口１４から露出させる透光部６１を、ねじ等の別部材を使用することなく当該筐体１１に強固に組み付けることができる。
【００５２】
特に、周縁面１５とこの周縁面１５に面接触する周縁部６２の接触面とは、外側に膨らむように曲面状に形成されるため、係合時の突起１６を介して貫通穴６３に作用する押圧力Ｆ１と、面接触時の突出片１７を介してＬ字片６４の延出部６４ｂに作用する押圧力Ｆ２とが、周縁部６２を周縁面１５に押し付ける力としても作用することとなる（図６参照）。このため、周縁部６２が周縁面１５に強固に押し付けられることとなり、周縁部６２による防水機能や防塵機能等をさらに高めることができる。
【００５３】
さらに、筐体１１の外面のうち開口１４を囲む面と、当該開口１４から露出する透光部６１の露出面６１ｂとは、外側に膨らむように曲面状に形成されている。このため、当該光学的情報読取装置１０の操作時に透光部６１の露出面６１ｂと周囲の筐体１１の外面とに指などが触れて透光部６１を筐体内方に押し込む押圧力が作用するときでも、この押圧力が曲面形状に応じて分散される。これにより、上記押圧力に起因する周縁部６２と周縁面１５とを引き離す力が抑制されるので、周縁部６２による防水機能や防塵機能等の低下を抑制することができる。
【００５４】
また、透光部６１の内側面６１ａには、透光性を向上させるための表面加工が施されるため、当該透光部６１を透光する光の視認性を向上させることができる。特に、上記表面加工は、透光部６１の内側面６１ａに施されるため、例えば露出面６１ｂに施される場合と比較して当該表面加工による効果が低下しにくくなるので、当該表面加工により向上させた視認性を長期間持続することができる。
なお、上記表面加工は、透光部６１の内側面６１ａに施されることに限らず、透光部６１の表面の少なくとも一部に施されてもよい。
【００５５】
また、貫通穴６３とこの貫通穴６３の内径よりも僅かに大きな外径の突起１６とにより上記係合を実現しているので、貫通穴６３と突起１６との係合を簡易な形状で強固にすることができる。
【００５６】
また、周縁面１５には、突起１６が２つ形成され、周縁部６２には、両突起１６にそれぞれ対応する貫通穴６３が同数形成されるため、単に周縁面１５と周縁部６２との係合部同士が１箇所係合する場合と比較して、透光部６１の露出面６１ｂを介してどの方向から押圧力が作用するときでも、周縁部６２と周縁面１５とが離れにくくなる。これにより、周縁部６２と周縁面１５との面接触がより強固となり、周縁部６２による防水機能や防塵機能等をさらに高めることができる。
【００５７】
図７および図８は、本実施形態の変形例に係る光学的情報読取装置１０の要部であるカバー６０を示す説明図である。
本実施形態の変形例として、突起１６は、断面十字状に形成されることに限らず、例えば、貫通穴６３の内径よりも僅かに大きな外径を有するように円柱状に形成されてもよい。また、貫通穴６３および突起１６に代えて、例えば、凸部と凹部とのように、周縁部６２に設けられる周縁部側係合部と周縁面１５に設けられて周縁部側係合部と係合可能な筐体側係合部とを採用してもよい。
【００５８】
また、図７（Ａ）に示すように、カバー６０は、貫通穴（図７（Ａ）にて符号６３ａにて示す）が周縁部６２に対して３つ形成されてもよい。この場合、周縁面１５には、各貫通穴６３ａに対応して同数の突起１６が設けられる。このようにしても、単に周縁面１５と周縁部６２との係合部同士が１箇所係合する場合と比較して、周縁部６２と周縁面１５とが離れにくくなり、周縁部６２による防水機能や防塵機能等をさらに高めることができる。もちろん、周縁部６２に対して貫通穴６３を４つ以上設けるとともに、周縁面１５に各貫通穴６３に対応して同数の突起１６を設けるようにしても、上記効果を奏する。
【００５９】
また、図７（Ｂ）に示すように、１つの貫通穴（図７（Ａ）にて符号６３ｂにて示す）を採用する場合には、この貫通穴６３ｂを、カバー６０全体として対象となる位置に設けるようにしてもよい。
また、上述した貫通穴６３ａ，６３ｂや対応する突起１６に代えて、上述した凸部と凹部とのように、周縁部６２に設けられる周縁部側係合部と周縁面１５に設けられて周縁部側係合部と係合可能な筐体側係合部とを一対または複数対採用してもよい。
【００６０】
また、本実施形態の変形例として、カバー６０は、周縁部６２から突出するＬ字片６４の平面部（延出部６４ｂの基部側６５）にて突出片１７の開口側に押圧するように面接触することで筐体１１に固定されることに限らず、周縁部６２から突出する接触部が有する平面部にて突出片１７の開口側に押圧するように面接触することで筐体１１に固定されてもよい。
【００６１】
具体的には、図８に示すように、周縁部６２から板状に突出する接触部（図８にて符号６７にて示す）の平面部６７ａにて突出片１７の開口側に押圧するように面接触することで、カバー６０が筐体１１に固定されてもよい。
【００６２】
また、カバー６０は、そのＬ字片６４の延出部６４ｂまたは平面部６７ａにて、突出片１７の開口側に面接触することで筐体１１に固定されることに限らず、突出片１７に代えて周縁面１５に形成される段部等に面接触することで筐体１１に固定されてもよい。
【００６３】
なお、本発明は上記実施形態および変形例に限定されるものではなく、以下のように具体化してもよい。
（１）カバー６０および筐体１１の周縁面１５における本発明の構成は、上述した光学的情報読取装置１０に適用されることに限らず、例えば、携帯型の決済端末等のように、筐体内に収容される発光部からの光を透光させる透光部が当該筐体に形成される開口から露出する情報端末に適用されてもよい。
【００６４】
（２）カバー６０は、周縁部６２を除き、透光部６１のみが透光性を有するように形成されてもよい。
【００６５】
（３）周縁面１５および周縁部６２は、外側に膨らむように曲面状に形成されることに限らず、例えば、平面状に形成されてもよい。また、透光部６１の露出面６１ｂは、筐体１１の外面のうち開口１４を囲む面とともに外側に膨らむように曲面状に形成されることに限らず、例えば、開口１４を囲む面とともに平面状に形成されてもよい。
【００６６】
（４）突起１６および突出片１７は、開口１４を挟んで上下方向に位置するように周縁面１５に設けられることに限らず、例えば、開口１４を挟んで左右方向に位置するように周縁面１５に設けられるてもよい。この場合、カバー６０の貫通穴６３およびＬ字片６４は、突起１６および突出片１７に応じて形成することができる。
【符号の説明】
【００６７】
１０…光学的情報読取装置（情報端末）
１１…筐体
１１ａ…上側ケース
１１ｂ…下側ケース
１４…開口
１５…周縁面
１６…突起（筐体側係合部）
１７…突出片
４３…発光部
６０…カバー
６１…透光部
６１ａ…内側面
６１ｂ…露出面
６２…周縁部
６３…貫通穴（周縁部側係合部）
６４…Ｌ字片
６４ｂ…延出部（接触部）
【図１】
0005708322.tif 000002
【図２】
0005708322.tif 000003
【図３】
0005708322.tif 000004
【図４】
0005708322.tif 000005
【図５】
0005708322.tif 000006
【図６】
0005708322.tif 000007
【図７】
0005708322.tif 000008
【図８】
0005708322.tif 000009